(57)【要約】【課題】  音声コンテンツの製作者の意図を尊重しつつ、Ｃチャンネル信号を適切にセンタスピーカ以外のスピーカに振り分ける。【解決手段】  相関評価部２１１Ｌが、Ｃチャンネル信号とＬチャンネル信号との相関係数を算出する。また、相関評価部２１１Ｒが、Ｃチャンネル信号とＲチャンネル信号との相関係数を算出する。引き続き、振分係数決定部２１２Ａが、算出された相関係数に基づいて、分離チャンネル信号ＳＣＤCのＣチャンネルへの第１振分係数、及び、Ｌチャンネル及びＲチャンネルへの第２振分係数を決定する。そして、振分処理部２１５Ａが、決定された第１及び第２振分係数に従って、分離チャンネル信号ＳＣＤCをＣチャンネル、Ｌチャンネル及びＲチャンネルへ振り分ける。こうして生成されたチャンネル処理信号ＰＣＤC〜ＰＣＤRに対応する音声が、６個のスピーカから再生出力される。【選択図】  図３
2010087783.tif 000002
【特許請求の範囲】
【請求項１】
音源から供給されるセンタチャンネル信号を含む複数のチャンネル信号に基づいて、前記センタチャンネル信号に対応して設置されたセンタスピーカを含む複数のスピーカから音声を出力する音響装置であって、
前記センタチャンネル信号の第１周波数帯域の成分と、前記複数のチャンネルの信号における前記センタチャンネル信号以外の少なくとも１つの他チャンネル信号の前記第１周波数帯域の成分のそれぞれとの相関を検出する検出手段と；
前記検出手段による検出結果に基づいて、前記センタチャンネル信号の第２周波数帯域の成分の前記センタスピーカ及び前記他チャンネル信号に対応するスピーカのそれぞれへの振分係数を決定する決定手段と；
前記決定手段による決定結果に従って、前記センタスピーカ及び前記他チャンネル信号に対応するスピーカのそれぞれに供給する音響信号を生成する生成手段と；
を備えることを特徴とする音響装置。
【請求項２】
少なくとも前記相関が正である場合には、前記センタスピーカへの振分係数は、前記相関が高くなるに従って単調非増大であり、前記他チャンネル信号に対応するスピーカのそれぞれへの振分係数は、前記相関が高くなるに従って単調非減少である、ことを特徴とする請求項１に記載の音響装置。
【請求項３】
前記相関が負である場合には、前記センタスピーカへの振分係数は、前記相関が高くなるに従って単調非増大である、ことを特徴とする請求項２に記載の音響装置。
【請求項４】
前記相関が負である場合には、前記センタスピーカへの振分係数は、所定の一定値である、ことを特徴とする請求項３に記載の音響装置。
【請求項５】
前記相関が負である場合には、前記他チャンネル信号に対応するスピーカのそれぞれへの振分係数は、負値であり、前記相関が高くなるに従って単調非増大である、ことを特徴とする請求項３に記載の音響装置。
【請求項６】
前記第１周波数帯域及び前記第２周波数帯域は、共に、全周波数帯域である、ことを特徴とする請求項１〜５のいずれか一項に記載の音響装置。
【請求項７】
前記生成手段は、
前記決定手段により決定された前記センタスピーカへの振分係数を、前記センタチャンネル信号に乗じて、前記センタスピーカへ供給する第１乗算手段と；
前記決定手段により決定された前記他チャンネル信号に対応するスピーカのそれぞれへの振分係数を前記センタチャンネル信号に乗じる第２乗算手段と；
前記他チャンネル信号のそれぞれと、対応する前記第２乗算手段による乗算結果とを加算し、前記他チャンネル信号に対応するスピーカのそれぞれへ供給する加算手段と；
を備えることを特徴とする請求項６に記載の音響装置。
【請求項８】
前記第１周波数帯域は所定の低周波数帯域である、ことを特徴とする請求項１〜５のいずれか一項に記載の音響装置。
【請求項９】
前記検出手段は、
前記センタチャンネル信号から前記第１周波数帯域の成分を抽出する第１フィルタ手段と；
前記他チャンネル信号のそれぞれから前記第１周波数帯域の成分を抽出する第２フィルタ手段と；
前記第２フィルタ手段による抽出結果のそれぞれと、前記第１フィルタ手段による抽出結果との相関を算出する算出手段と；
を備えることを特徴とする請求項８に記載の音響装置。
【請求項１０】
前記第２周波数帯域は全周波数帯域である、ことを特徴とする請求項８又は９に記載の音響装置。
【請求項１１】
前記生成手段は、
前記決定手段により決定された前記センタスピーカへの振分係数を前記センタチャンネル信号に乗じて、前記センタスピーカへ供給する第１乗算手段と；
前記決定手段により決定された前記他チャンネル信号に対応するスピーカのそれぞれへの振分係数を前記センタチャンネル信号に乗じる第２乗算手段と；
前記他チャンネル信号のそれぞれと、対応する前記第２乗算手段による乗算結果とを加算し、前記他チャンネル信号に対応するスピーカのそれぞれへ供給する加算手段と；
を備えることを特徴とする請求項１０に記載の音響装置。
【請求項１２】
前記第２周波数帯域は、前記第１周波数帯域と同一の帯域である、ことを特徴とする請求項８又は９に記載の音響装置。
【請求項１３】
前記生成手段は、
前記決定手段により決定された前記センタスピーカへの振分係数を前記センタチャンネル信号の前記第１周波数帯域の成分に乗じる第１乗算手段と；
前記センタチャンネル信号の前記第１周波数帯域以外の帯域の成分を通過させる高域通過フィルタ手段と；
前記第１乗算手段による乗算結果と、前記高域通過フィルタ手段を通過した成分とを加算して、前記センタスピーカへ供給する第１加算手段と；
前記決定手段により決定された前記他チャンネル信号に対応するスピーカのそれぞれへの振分係数を前記センタチャンネル信号の前記第１周波数帯域の成分に乗じる第２乗算手段と；
前記他チャンネル信号のそれぞれと、対応する前記第２乗算手段による乗算結果とを加算し、前記他チャンネル信号に対応するスピーカのそれぞれへ供給する第２加算手段と；
を備えることを特徴とする請求項１２に記載の音響装置。
【請求項１４】
前記他チャンネル信号に対応するスピーカには、前記センタスピーカの位置を基準として、互いに対称的な位置に配置された１対のスピーカが含まれる、ことを特徴とする請求項１〜１３に記載の音響装置。
【請求項１５】
前記１対のスピーカのそれぞれへの前記センタチャンネル信号の振分係数は、互いに同一である、ことを特徴とする請求項１４に記載の音響装置。
【請求項１６】
前記複数のスピーカのそれぞれに供給される信号間のタイミング関係を、前記複数チャンネル信号間のタイミング関係と同一となるように調整する同期調整手段を更に備える、ことを特徴とする請求項１〜１５に記載の音響装置。
【請求項１７】
音源から供給されるセンタチャンネル信号を含む複数のチャンネル信号に基づいて、前記センタチャンネル信号に対応して設置されたセンタスピーカを含む複数のスピーカから音声を出力させる音響信号処理方法であって、
前記センタチャンネル信号の第１周波数帯域の成分と、前記複数のチャンネルの信号における前記センタチャンネル信号以外の少なくとも１つの他チャンネル信号の前記第１周波数帯域の成分のそれぞれとの相関を検出する検出工程と；
前記検出工程における検出結果に基づいて、前記センタチャンネル信号の第２周波数帯域の成分の前記センタスピーカ及び前記他チャンネル信号に対応するスピーカのそれぞれへの振分係数を決定する決定工程と；
前記決定工程における決定結果に従って、前記センタスピーカ及び前記他チャンネル信号に対応するスピーカのそれぞれに供給する音響信号を生成する生成工程と；
を備えることを特徴とする音響信号処理方法。
【請求項１８】
請求項１７に記載の音響信号処理方法を演算手段に実行させる、ことを特徴とする音響信号処理プログラム。
【請求項１９】
請求項１８に記載の音響信号処理プログラムが、演算手段により読み取り可能に記録されている、ことを特徴とする記録媒体。
【発明の詳細な説明】
【技術分野】
【０００１】
本発明は、音響装置、音響信号処理方法及び音響信号処理プログラム、並びに当該音響信号処理プログラムが記録された記録媒体に関する。
【背景技術】
【０００２】
従来から、音声コンテンツを再生し、スピーカから再生音声を出力する音響装置が広く普及している。これにより、家庭内空間や車両内空間においても、５．１チャンネル構成等のマルチチャンネルサラウンド方式による音声再生により、臨場感溢れる再生音声を楽しむことができるようになってきている。
【０００３】
ところで、マルチチャンネルサラウンド方式の多くにおいては、センタチャンネル（以下、「Ｃチャンネル」と呼ぶ）が含まれている。こうしたＣチャンネルに対応して用意されるセンタスピーカは、通常、映像表示装置の近傍というスペース的に余裕の無い位置に配置されるため、口径が小さいスピーカとせざるを得ないことが多い。このため、センタスピーカは、レフトチャンネル（以下、「Ｌチャンネル」と呼ぶ）に対応するレフトスピーカや、ライトチャンネル（以下、「Ｒチャンネル」と呼ぶ）に対応するライトスピーカと比べて、特に低音について再生能力が低い場合が多々ある。
【０００４】
そこで、センタスピーカの再生能力の低さを補うことができる構成として、音源からのＣチャンネル信号の一部を、ライトスピーカ及びレフトスピーカへ振り分ける技術が提案されている（特許文献１，２参照：以下、「従来例１，２」と呼ぶ）。ここで、従来例１の技術では、Ｃチャンネル信号の低音成分及び高音成分を取り出し、高音成分のみをセンタスピーカへ供給する。また、当該低音成分とＬチャンネル信号とを合成してレフトスピーカに供給するとともに、当該低音成分とＲチャンネル信号とを合成してライトスピーカに供給するようになっている（特許文献１における［００６８］〜［００９１］及び図５参照）。
【０００５】
従来例２の技術では、Ｃチャンネル信号を擬似ステレオ化して、擬似Ｌチャンネル信号と擬似Ｒチャンネル信号とを生成する。そして、擬似Ｌチャンネル信号と、音源からのＬチャンネル信号とを合成してレフトスピーカに供給するとともに、擬似Ｒチャンネル信号と、音源からのＲチャンネル信号とを合成してライトスピーカに供給するようになっている。なお、従来例２の技術では、センタレフトスピーカ及びセンタライトスピーカの２種のセンタスピーカを設けている。そして、レフトスピーカに供給される擬似Ｌチャンネル信号成分及びライトスピーカに供給される擬似Ｒチャンネル信号よりも所定の比率で大きなレベルの擬似Ｌチャンネル信号及び擬似Ｒチャンネル信号が、センタレフトスピーカ及びセンタライトスピーカに供給されるようになっている。
【０００６】
【特許文献１】特開２００３−６１１９８号公報
【特許文献２】特開平１０−２８５６９８号公報
【発明の開示】
【発明が解決しようとする課題】
【０００７】
上述した従来例１の技術では、Ｃチャンネル信号の低音成分は、レフトスピーカ及びライトスピーカのみから再生出力される。また、従来例２の技術では、Ｃチャンネル信号の擬似ステレオ信号が、センタレフトスピーカ及びセンタライトスピーカからの再生出力レベルに対して所定の比率で、レフトスピーカ及びライトスピーカから再生出力される。すなわち、再生される音声コンテンツにおけるＣチャンネル信号と、Ｌチャンネル信号及びＲチャンネル信号との関係にかかわらず、１個又は２個のセンタスピーカから再生出力されることが予定されているＣチャンネル信号の所定周波数帯域成分に対応する音声が、固定的な比率で、レフトスピーカ及びライトスピーカから再生出力される。
【０００８】
この結果、従来例１，２の技術では、Ｃチャンネル信号が、Ｌチャンネル信号及び／又はＲチャンネル信号に対して独自な音声に対応するものであっても、必ず、固定的な比率で、レフトスピーカ及びライトスピーカから再生出力されることになる。このため、センタスピーカのみから再生出力されることが音声コンテンツの製作者によって意図されていたＣチャンネル信号に対応する音声の音像が、センタスピーカのみから再生出力される場合と比べて広がってしまうことになる。また、センタスピーカを中心として非対称な位置に配置されたスピーカにＣチャンネル信号を振り分ける場合には、Ｃチャンネル信号に対応する音声の音像定位が、音声コンテンツの製作者の意図から大きくずれてしまうこともあり得る。
【０００９】
このため、音声コンテンツの製作者の意図を尊重しつつ、センタスピーカの再生能力の不足を合理的に補うことができる技術が待望されている。かかる要望に応えることが、本発明が解決すべき課題の一つとして挙げられる。
【００１０】
本発明は、上記の事情のもとでなされたものであり、音声コンテンツの製作者の意図を尊重しつつ、Ｃチャンネル信号を適切にセンタスピーカ以外のスピーカに振り分けることができる音響装置及び音響信号処理方法を提供することを目的とする。
【課題を解決するための手段】
【００１１】
請求項１に記載の発明は、音源から供給されるセンタチャンネル信号を含む複数のチャンネル信号に基づいて、前記センタチャンネル信号に対応して設置されたセンタスピーカを含む複数のスピーカから音声を出力する音響装置であって、前記センタチャンネル信号の第１周波数帯域の成分と、前記複数のチャンネルの信号における前記センタチャンネル信号以外の少なくとも１つの他チャンネル信号の前記第１周波数帯域の成分のそれぞれとの相関を検出する検出手段と；前記検出手段による検出結果に基づいて、前記センタチャンネル信号の第２周波数帯域の成分の前記センタスピーカ及び前記他チャンネル信号に対応するスピーカのそれぞれへの振分係数を決定する決定手段と；前記決定手段による決定結果に従って、前記センタスピーカ及び前記他チャンネル信号に対応するスピーカのそれぞれに供給する音響信号を生成する生成手段と；を備えることを特徴とする音響装置である。
【００１２】
請求項１７に記載の発明は、音源から供給されるセンタチャンネル信号を含む複数のチャンネル信号に基づいて、前記センタチャンネル信号に対応して設置されたセンタスピーカを含む複数のスピーカから音声を出力させる音響信号処理方法であって、前記センタチャンネル信号の第１周波数帯域の成分と、前記複数のチャンネルの信号における前記センタチャンネル信号以外の少なくとも１つの他チャンネル信号の前記第１周波数帯域の成分のそれぞれとの相関を検出する検出工程と；前記検出工程における検出結果に基づいて、前記センタチャンネル信号の第２周波数帯域の成分の前記センタスピーカ及び前記他チャンネル信号に対応するスピーカのそれぞれへの振分係数を決定する決定工程と；前記決定工程における決定結果に従って、前記センタスピーカ及び前記他チャンネル信号に対応するスピーカのそれぞれに供給する音響信号を生成する生成工程と；を備えることを特徴とする音響信号処理方法である。
【００１３】
請求項１８に記載の発明は、請求項１７に記載の音響信号処理方法を演算手段に実行させる、ことを特徴とする音響信号処理プログラムである。
【００１４】
請求項１９に記載の発明は、請求項１８に記載の音響信号処理プログラムが、演算手段により読み取り可能に記録されている、ことを特徴とする記録媒体である。
【発明を実施するための最良の形態】
【００１５】
以下、本発明の実施形態を、添付図面を参照して説明する。なお、以下の説明及び図面においては、同一又は同等の要素には同一符号を付し、重複する説明を省略する。
【００１６】
［第１実施形態］
まず、本発明の第１実施形態を、図１〜図５を参照して説明する。なお、本第１実施形態では、５．１チャンネルサラウンド方式を採用する場合を例示して説明する。
【００１７】
＜構成＞
図１には、第１実施形態に係る音響装置１００Ａの概略的な構成がブロック図にて示されている。
【００１８】
この図１に示されるように、音響装置１００Ａは、信号処理ユニット１１０Ａと、音源ユニット１２０とを備えている。
【００１９】
また、音響装置１００Ａは、スピーカ１３０C、スピーカ１３０L、スピーカ１３０R、スピーカ１３０SL、スピーカ１３０SR及びスピーカ１３０SWを備えている。
【００２０】
ここで、スピーカ１３０Cは、センタスピーカ（以下、「Ｃスピーカ」と呼ぶ）であり、スピーカ１３０Lはレフトスピーカ（以下、「Ｌスピーカ」と呼ぶ）であり、スピーカ１３０Rはライトスピーカ（以下、「Ｒスピーカ」と呼ぶ）である。また、スピーカ１３０SLはサラウンドレフトスピーカ（以下、「ＳＬスピーカ」と呼ぶ）であり、スピーカ１３０SRはサラウンドライトスピーカ（以下、「ＳＲスピーカ」と呼ぶ）であり、スピーカ１３０SWはサブウーハスピーカ（以下、「ＳＷスピーカ」と呼ぶ）である。
【００２１】
さらに、音響装置１００Ａは、表示ユニット１４０と、操作入力ユニット１５０とを備えている。
【００２２】
なお、信号処理ユニット１１０Ａ以外の要素１２０，１３０Ｃ〜１３０SＷ，１４０，１５０は、信号処理ユニット１１０Ａに接続されている。
【００２３】
信号処理ユニット１１０Ａは、音源ユニット１２０からのコンテンツデータＣＴＤの処理を行って、その処理結果である音声出力信号ＡＯＳC〜ＡＯＳSWを、スピーカ１３０C〜１３０swに供給する。この信号処理ユニット１１０Ａの詳細については、後述する。
【００２４】
上記の音源ユニット１２０は、信号処理ユニット１１０Ａからの読取指令ＣＳＬによる制御のもとで、コンテンツデータＣＴＤを出力する。なお、本第１実施形態では、コンテンツデータＣＴＤは、５．１チャンネルサラウンド方式における６チャンネルの信号を担ったものとなっている。
【００２５】
すなわち、コンテンツデータＣＴＤは、センタチャンネル（以下、「Ｃチャンネル」と呼ぶ）信号、レフトチャンネル（以下、「Ｌチャンネル」ともいう）信号及びライトチャンネル（以下、「Ｒチャンネル」ともいう）信号を担っている。さらに、コンテンツデータＣＴＤは、サラウンドレフトチャンネル（以下、「ＳＬチャンネル」と呼ぶ）信号、サラウンドライトチャンネル（以下、「ＳＲチャンネル」ともいう）信号及びサブウーハチャンネル（以下、「ＳＷチャンネル」ともいう）信号を担っている。なお、ｊ（ｊ＝Ｃ〜ＳＷ）チャンネル信号は、ｊスピーカ１３０jから再生出力することが、音声コンテンツの製作者により意図されている信号である。
【００２６】
なお、例えば、音響装置１００Ａが、ＤＶＤ（Digital Versatile Disk）等の記録媒体に記録された音声コンテンツを再生する装置である場合には、音源ユニット１２０は、当該記録媒体から音声コンテンツを読み取る読取手段を備える。また、音響装置１００Ａが、放送波の受信により取得した音声コンテンツを再生する装置である場合には、音源ユニット１２０は、放送波の受信結果から音声コンテンツデータを抽出するコンテンツ抽出手段を備えることになる。
【００２７】
音源ユニット１２０から出力されたコンテンツデータ信号ＣＴＤは、信号処理ユニット１１０Ａに供給される。
【００２８】
上記のスピーカ１３０Ｃ〜１３０SWのそれぞれは、信号処理ユニット１１０Ａから送られてきた音声出力信号ＡＯＳC〜ＡＯＳSWに従って、楽曲等を再生して出力する。なお、ＬスピーカとＲスピーカは、Ｃスピーカの配置位置を中心として、対称的な位置に配置されている。
【００２９】
上記の表示ユニット１４０は、例えば、（ｉ）液晶パネル、有機ＥＬ（Electro Luminescence）パネル、ＰＤＰ（Plasma Display Panel）等の表示デバイスと、（ii）信号処理ユニット１１０Ａから送出された表示制御データに基づいて、表示ユニット１４０全体の制御を行うグラフィックレンダラ等の表示コントローラと、（iii）表示画像データを記憶する表示画像メモリ等を備えて構成されている。この表示ユニット１４０は、信号処理ユニット１１０Ａからの表示データＩＭＤに従って、操作ガイダンス情報等を表示する。
【００３０】
上記の操作入力ユニット１５０は、音響装置１００Ａの本体部に設けられたキー部、及び／又はキー部を備えるリモート入力装置等により構成される。ここで、本体部に設けられたキー部としては、表示ユニット１４０の表示デバイスに設けられたタッチパネルを用いることができる。なお、キー部を有する構成に代えて、又は併用して音声認識技術を利用して音声にて入力する構成を採用することもできる。
【００３１】
この操作入力ユニット１５０を利用者が操作することにより、音響装置１００Ａの動作内容の設定が行われる。例えば、音声コンテンツの再生指令等の利用者による入力が、操作入力ユニット１５０を利用して行われる。こうした入力内容は、操作入力データＩＰＤとして、操作入力ユニット１５０から信号処理ユニット１１０Ａへ向けて送られる。
【００３２】
次に、上記の信号処理ユニット１１０Ａについて説明する。上述したように、信号処理ユニット１１０Ａは、音源ユニット１２０からのコンテンツデータＣＴＤの処理を行って、その処理結果である音声出力信号ＡＯＳC〜ＡＯＳSWを、スピーカ１３０C〜１３０swに供給するとともに、音響装置１００Ａの全体を統括制御する。この信号処理ユニット１１０Ａは、制御処理部１１１と、チャンネル分離部１１２と、信号加工部１１３Ａと、アナログ処理部１１４とを備えている。
【００３３】
上記の制御処理部１１１は、操作入力ユニット１５０に入力された指令に基づいて、音源ユニット１２０、表示ユニット１４０、アナログ処理部１１４を制御する。この制御処理部１１１の詳細については、後述する。
【００３４】
上記のチャンネル分離部１１２は、音源ユニット１２０からのコンテンツデータＣＴＤを受ける。そして、チャンネル分離部１１２は、コンテンツデータＣＴＤを展開し、５．１チャンネルサラウンド方式におけるＣ〜ＳＷチャンネルに対応する６個の分離チャンネル信号ＳＣＤC〜ＳＣＤSWに分離する。このようにして分離された分離チャンネル信号ＳＣＤC〜ＳＣＤSWは、信号加工部１１３Ａへ送られる。
【００３５】
上記の信号加工部１１３Ａは、分離チャンネル信号ＳＣＤC〜ＳＣＤSWを受けて、スピーカ１３０C〜１３０SWに対応するチャンネル処理信号ＰＣＤC〜ＰＣＤSWを生成する。かかる機能を有する信号加工部１１３Ａは、図２に示されるように、信号振分部２１０Ａと、同期調整手段の一部としての遅延付与部２２０とを備えている。
【００３６】
なお、分離チャンネル信号ＳＣＤC〜ＳＣＤRは、信号振分部２１０Ａへ送られる。また、分離チャンネル信号ＳＣＤSL〜ＳＣＤSWは、遅延付与部２２０へ送られる。
【００３７】
上記の信号振分部２１０Ａは、分離チャンネル信号ＳＣＤC〜ＳＣＤRからチャンネル処理信号ＰＣＤC〜ＰＣＤRを生成する。この信号振分部２１０Ａは、図３に示されるように、検出手段としての相関評価部２１１Ｌ，２１１Ｒと、決定手段としての振分係数決定部２１２Ａとを備えている。また、信号振分部２１０Ａは、同期調整手段の一部としての遅延付与部２１３Ａと、生成手段としての振分処理部２１５Ａとを備えている。
【００３８】
上記の相関評価部２１１Ｌは、分離チャンネル信号ＳＣＤCと分離チャンネル信号ＳＣＤLとの相関係数を算出することにより、両信号間の相関を評価する。なお、算出される相関係数は、「−１」〜「１」の範囲の値となる。ここで、逆相で強い相関がある場合には、相関係数が「−１」に近付く。また、相関が無い場合には、相関係数が「０」となる。さらに、同相で強い相関がある場合には、相関係数が「１」に近付く。こうして算出された相関係数は、振分係数決定部２１２Ａへ送られる。
【００３９】
上記の相関評価部２１１Ｒは、分離チャンネル信号ＳＣＤCと分離チャンネル信号ＳＣＤRとの相関係数を算出することにより、両信号間の相関を評価する。なお、算出される相関係数は、両信号間の相関の態様に対応して、上述した相関評価部２１１Ｌの場合と同様の範囲の値が算出される。こうして算出された相関係数は、振分係数決定部２１２Ａへ送られる。
【００４０】
上記の振分係数決定部２１２Ａは、相関評価部２１１Ｌ及び相関評価部２１１Ｒからの２つの相関係数に基づいて、分離チャンネル信号ＳＣＤCのＣチャンネル、Ｌチャンネル及びＲチャンネルへの振分係数を決定する。本第１実施形態においては、振分係数決定部２１２Ａは、相関評価部２１１Ｌ及び相関評価部２１１Ｒからの２つの相関係数の平均値（ＡＣＲ）に基づいて、Ｃチャンネルに対する第１振分係数（ＤＣ）と、Ｌチャンネル及びＲチャンネルへの振分係数として共通の第２振分係数（ＤＬＲ）とを、所定のアルゴリズムにより決定するようになっている。
【００４１】
かかる第１振分係数（ＤＣ）の決定に際して、振分係数決定部２１２Ａは、分離チャンネル信号ＳＣＤCと分離チャンネル信号ＳＣＤL,ＳＣＤRとの相関が正である場合には、相関が高いと評価されるほど、すなわち、相関係数の平均値（ＡＣＲ）が「０」〜「１」の範囲で大きくなるほど小さくなるように、第１振分係数（ＤＣ）を決定する。一方、振分係数決定部２１２Ａは、分離チャンネル信号ＳＣＤCと分離チャンネル信号ＳＣＤL,ＳＣＤRとの相関が負である場合には、相関が高いと評価されるほど、すなわち、相関係数の平均値（ＡＣＲ）が「−１」〜「０」の範囲で小さくなるほど小さくなるように、第１振分係数（ＤＣ）を決定する。
【００４２】
また、第２振分係数（ＤＬＲ）の決定に際して、振分係数決定部２１２Ａは、分離チャンネル信号ＳＣＤCと分離チャンネル信号ＳＣＤL,ＳＣＤRとの相関が正である場合には、相関が高いと評価されるほど、すなわち、相関係数の平均値（ＡＣＲ）が「０」〜「１」の範囲で大きくなるほど大きくなるように、第２振分係数（ＤＬＲ）を決定する。一方、振分係数決定部２１２Ａは、分離チャンネル信号ＳＣＤCと分離チャンネル信号ＳＣＤL,ＳＣＤRとの相関が負である場合には、相関が高いと評価されるほど、すなわち、相関係数の平均値（ＡＣＲ）が「−１」〜「０」の範囲で小さくなるほど小さくなるように、第２振分係数（ＤＬＲ）を決定する。
【００４３】
なお、上記の所定のアルゴリズムは、実験、シミュレーション、経験等により予め定められる。
【００４４】
こうした相関係数の平均値（ＡＣＲ）と、第１振分係数（ＤＣ）との関係の例が図４（Ａ）に示されている。この図４（Ａ）では、平均値（ＡＣＲ）が「−１」から「０」へ変化するのに従って、第１振分係数（ＤＣ）が最小値ＤＣMIN（≧０）から最大値ＤＣMAXに単調に増加するとともに、平均値（ＡＣＲ）が「０」から「１」へ変化するのに従って、第１振分係数（ＤＣ）が最大値ＤＣMAXから最小値ＤＣMINに単調に減少する例が示されている。
【００４５】
また、相関係数の平均値（ＡＣＲ）と、第２振分係数（ＤＬＲ）との関係の例が図４（Ｂ）に示されている。この図４（Ｂ）では、平均値（ＡＣＲ）が「−１」から「０」へ変化するのに従って、第２振分係数（ＤＬＲ）が最小値ＤＬＲMINから「０」に単調に増加するとともに、平均値（ＡＣＲ）が「０」から「１」へ変化するのに従って、第２振分係数（ＤＬＲ）が「０」から最大値ＤＬＲMAXに単調に増加する例が示されている。
【００４６】
図３に戻り、決定された第１振分係数（ＤＣ）及び第２振分係数（ＤＬＲ）は、振分処理部２１５Ａへ送られる。
【００４７】
上記の遅延付与部２１３Ａは、分離チャンネル信号ＳＣＤC〜ＳＣＤRのそれぞれに対応する３つの個別遅延付与部を備えている。そして、遅延付与部２１３Ａは、分離チャンネル信号ＳＣＤC〜ＳＣＤRと、決定された第１及び第２振分係数とのタイミング差を埋め合わせる分だけ、分離チャンネル信号ＳＣＤC〜ＳＣＤRのそれぞれを遅延させる。すなわち、遅延付与部２１３Ａは、相関評価部２１１Ｌ，２１１Ｒ及び振分係数決定部２１２Ａにおける処理時間の分だけ、分離チャンネル信号ＳＣＤC〜ＳＣＤRのそれぞれを遅延させる。こうして遅延が付与された分離チャンネル信号ＳＣＤC〜ＳＣＤRは、振分処理部２１５Ａへ送られる。
【００４８】
上記の振分処理部２１５Ａは、遅延付与部２１３Ａにより遅延が付与された分離チャンネル信号ＳＣＤC〜ＳＣＤRと、振分係数決定部２１２Ａにより決定された第１及び第２振分係数に基づいて、チャンネル処理信号ＰＣＤC〜ＰＣＤRを生成する。この振分処理部２１５Ａは、第１乗算手段としての乗算部２１６Ｃと、第２乗算手段としての乗算部２１６Ｌ，２１６Ｒとを備えている。また、振分処理部２１５Ａは、加算手段としての加算部２１７Ｌ，２１７Ｒを備えている。
【００４９】
上記の乗算部２１６Ｃは、遅延付与部２１３Ａにより遅延が付与された分離チャンネル信号ＳＣＤCを受ける。そして、乗算部２１６Ｃは、振分係数決定部２１２Ａにより決定された第１振分係数を受信信号に乗じて、チャンネル処理信号ＰＣＤCを生成する。生成されたチャンネル処理信号ＰＣＤCは、アナログ処理部１１４へ送られる。
【００５０】
上記の乗算部２１６Ｌは、遅延付与部２１３Ａにより遅延が付与された分離チャンネル信号ＳＣＤCを受ける。そして、乗算部２１６Ｌは、振分係数決定部２１２Ａにより決定された第２振分係数を受信信号に乗じる。この乗算結果の信号は、加算部２１７Ｌへ送られる。
【００５１】
上記の乗算部２１６Ｒは、遅延付与部２１３Ａにより遅延が付与された分離チャンネル信号ＳＣＤCを受ける。そして、乗算部２１６Ｒは、振分係数決定部２１２Ａにより決定された第２振分係数を受信信号に乗算する。この乗算結果の信号は、加算部２１７Ｒへ送られる。
【００５２】
上記の加算部２１７Ｌは、遅延付与部２１３Ａにより遅延が付与された分離チャンネル信号ＳＣＤL及び乗算部２１６Ｌによる乗算結果の信号を受ける。そして、加算部２１７Ｌは、両信号を加算して、チャンネル処理信号ＰＣＤLを生成する。生成されたチャンネル処理信号ＰＣＤＬは、アナログ処理部１１４へ送られる。
【００５３】
上記の加算部２１７Ｒは、遅延付与部２１３Ａにより遅延が付与された分離チャンネル信号ＳＣＤR及び乗算部２１６Ｒによる乗算結果の信号を受ける。そして、加算部２１７Ｒは、両信号を加算して、チャンネル処理信号ＰＣＤRを生成する。生成されたチャンネル処理信号ＰＣＤRは、アナログ処理部１１４へ送られる。
【００５４】
なお、加算部２１７Ｌ，２１７Ｒによる処理時間は、本第１実施形態では、再生音声のチャンネル間の同期を図るに際して十分に短い時間となっている。
【００５５】
図２に戻り、上記の遅延付与部２２０は、分離チャンネル信号ＳＣＤSL〜ＳＣＤSWのそれぞれに対応する３つの個別遅延付与部を備えている。そして、遅延付与部２２０は、分離チャンネル信号ＳＣＤSL〜ＳＣＤSWと、上述したチャンネル処理信号ＰＣＤC〜ＰＣＤRとのタイミング差を埋め合わせる分だけ、分離チャンネル信号ＳＣＤSL〜ＳＣＤSWのそれぞれを遅延させる。遅延付与部２２０による遅延結果は、チャンネル処理信号ＰＣＤSL〜ＰＣＤSWとして、アナログ処理部１１４へ送られる。
【００５６】
図１に戻り、上記のアナログ処理部１１４は、信号加工部１１３Ａからのチャンネル処理信号ＰＣＤC〜ＰＣＤSWを受ける。そして、アナログ処理部１１４は、制御処理部１１１による制御のもとで、音声出力信号ＡＯＳC〜ＡＯＳSWを生成し、スピーカ１３０C〜１３０SWへ送る。かかる機能を有するアナログ処理部１１４は、図５に示されるように、ＤＡ（Digital to Analogue）変換部２４１と、音量調整部２４２と、パワー増幅部２４３とを備えている。
【００５７】
上記のＤＡ変換部２４１は、信号加工部１１３Ａからのチャンネル処理信号ＰＣＤC〜ＰＣＤSWを受ける。そして、ＤＡ変換部２４１は、チャンネル処理信号ＰＣＤC〜ＰＣＤSWをアナログ信号に変換する。このＤＡ変換部２４１は、６種のデジタル信号に対応して、互いに同様に構成された６個のＤＡ変換器を備えている。ＤＡ変換部２４１による変換結果は、音量調整部２４２へ送られる。
【００５８】
上記の音量調整部２４２は、ＤＡ変換部２４１による変換結果であるアナログ信号を受ける。そして、音量調整部２４２は、制御処理部１１１からの音量調整指令ＶＬＣに従って、受信したアナログ信号に対して音量調整処理を施す。この音量調整部２４２は、本第１実施形態では、６種のアナログ信号に対応して、互いに同様に構成された６個の電子ボリューム素子等を備えて構成されている。音量調整部２４２による調整結果である音量調整信号は、パワー増幅部２４３へ送られる。
【００５９】
上記のパワー増幅部２４３は、音量調整部２４２からの音量調整信号を受ける。そして、パワー増幅部２４３は、音量調整信号をパワー増幅する。このパワー増幅部２４３は、６種の音量調整信号に対応して、互いに同様に構成された６個のパワー増幅器を備えている。パワー増幅部２４３による増幅結果である音声出力信号ＡＯＳC〜ＡＯＳSWは、スピーカ１３０C〜１３０SWへ送られる。
【００６０】
次に、制御処理部１１１について説明する。この制御処理部１１１は、上述した他の構成要素を制御しつつ、音響装置１００Ａの機能を発揮させる。この制御処理部１１１は、表示データＩＭＤを出力し、利用者が再生すべき音声コンテンツの指定を支援するための案内画面を表示ユニット１４０に表示させる。そして、操作入力ユニット１５０から音声コンテンツを指定した再生指令が入力されると、制御処理部１１１は、読取指令ＣＳＬを音源ユニット１２０へ向けて発行し、コンテンツデータＣＴＤの読み取りを制御する。
【００６１】
また、制御処理部１１１は、音量調整部２４２を制御して、スピーカ１３０L〜１３０SRからの出力音量を調整する。この出力音量の制御に際して、制御処理部１１１は、操作入力ユニット１５０に入力された音量指定に従って音量調整指令ＶＬＣを生成し、音量調整部２４２へ向けて送る。
【００６２】
＜動作＞
次に、上記のように構成された音響装置１００Ａの動作について、スピーカ１３０C〜１３０SWへ向けて出力する音声出力信号ＡＯＳC〜ＡＯＳSWの生成処理に主に着目して説明する。
【００６３】
利用者が、操作入力ユニット１５０に音声コンテンツを指定した再生指令を入力すると、その旨が、操作入力データＩＰＤとして、制御処理部１１１へ送られる。この再生指令を受けると、制御処理部１１１は、読取指令ＣＳＬを音源ユニット１２０へ向けて発行し、コンテンツデータＣＴＤの読み取りを制御する。かかる制御のもとで、音源ユニット１２０から読み取られたコンテンツデータＣＴＤは、チャンネル分離部１１２へ送られる。コンテンツデータＣＴＤを受けたチャンネル分離部１１２は、コンテンツデータＣＴＤを展開し、５．１チャンネルサラウンド方式におけるＣ〜ＳＷチャンネルに対応する６個の分離チャンネル信号ＳＣＤC〜ＳＣＤSWに分離する。このようにして分離された分離チャンネル信号ＳＣＤC〜ＳＣＤSWは、信号加工部１１３Ａへ送られる（図１参照）。
【００６４】
信号加工部１１３Ａでは、信号振分部２１０Ａが分離チャンネル信号ＳＣＤC〜ＳＣＤRを受ける（図２参照）。信号振分部２１０Ａでは、相関評価部２１１Ｌ，２１１Ｒ及び遅延付与部２１３Ａが分離チャンネル信号ＳＣＤCを受ける。また、信号振分部２１０Ａでは、相関評価部２１１Ｌ及び遅延付与部２１３Ａが分離チャンネル信号ＳＣＤLを受ける。また、相関評価部２１１Ｒ及び遅延付与部２１３Ａが分離チャンネル信号ＳＣＤRを受ける（図３参照）。
【００６５】
分離チャンネル信号ＳＣＤC及び分離チャンネル信号ＳＣＤLを受けた相関評価部２１１Ｌは、両信号の相関係数を算出する。この算出結果は、振分係数決定部２１２Ａへ送られる。また、分離チャンネル信号ＳＣＤC及び分離チャンネル信号ＳＣＤRを受けた相関評価部２１１Ｒは、両信号の相関係数を算出する。この算出結果は、振分係数決定部２１２Ａへ送られる（図３参照）。
【００６６】
相関評価部２１１Ｌ，２１１Ｒによる算出結果を受けた振分係数決定部２１２Ａは、分離チャンネル信号ＳＣＤCのＣチャンネル、Ｌチャンネル及びＲチャンネルへの振分係数を決定する。この振分係数の決定に際しては、本第１実施形態においては、相関評価部２１１Ｌ及び相関評価部２１１Ｒからの２つの相関係数の平均値（ＡＣＲ）に基づいて、Ｃチャンネルに対する第１振分係数（ＤＣ）と、Ｌチャンネル及びＲチャンネルへの振分係数として共通の第２振分係数（ＤＬＲ）とを、所定のアルゴリズムにより決定される。こうして決定された第１及び第２振分係数は、振分処理部２１５Ａへ送られる（図３参照）。
【００６７】
一方、分離チャンネル信号ＳＣＤC〜ＳＣＤRを受けた遅延付与部２１３Ａは、分離チャンネル信号ＳＣＤC〜ＳＣＤRと、決定された第１及び第２振分係数とのタイミング差を埋め合わせる分だけ、分離チャンネル信号ＳＣＤC〜ＳＣＤRのそれぞれを遅延させる。こうして遅延が付与された分離チャンネル信号ＳＣＤC〜ＳＣＤRは、振分処理部２１５Ａへ送られる（図３参照）。
【００６８】
振分処理部２１５Ａでは、乗算部２１６Ｃ，２１６Ｌ，２１６Ｒが、遅延付与部２１３Ａにより遅延が付与された分離チャンネル信号ＳＣＤCを受ける。また、加算部２１７Ｌが、遅延付与部２１３Ａにより遅延が付与された分離チャンネル信号ＳＣＤLを受ける。また、加算部２１７Ｒが、遅延付与部２１３Ａにより遅延が付与された分離チャンネル信号ＳＣＤRを受ける（図３参照）。
【００６９】
乗算部２１６Ｃは、振分係数決定部２１２Ａにより決定された第１振分係数を、遅延が付与された分離チャンネル信号ＳＣＤCに乗算して、チャンネル処理信号ＰＣＤCを生成する。生成されたチャンネル処理信号ＰＣＤCは、アナログ処理部１１４へ送られる（図３参照）。
【００７０】
乗算部２１６Ｌは、振分係数決定部２１２Ａにより決定された第２振分係数を、遅延が付与された分離チャンネル信号ＳＣＤCに乗算する。この乗算結果の信号は、加算部２１７Ｌへ送られる。加算部２１７は、遅延付与部２１３Ａにより遅延が付与された分離チャンネル信号ＳＣＤLと、乗算部２１６Ｌによる乗算結果の信号とを加算して、チャンネル処理信号ＰＣＤLを生成する。生成されたチャンネル処理信号ＰＣＤＬは、アナログ処理部１１４へ送られる（図３参照）。
【００７１】
乗算部２１６Ｒは、振分係数決定部２１２Ａにより決定された第２振分係数を、遅延が付与された分離チャンネル信号ＳＣＤCに乗算させる。この乗算結果の信号は、加算部２１７Ｒへ送られる。加算部２１７Ｒは、遅延付与部２１３Ａにより遅延が付与された分離チャンネル信号ＳＣＤRと、乗算部２１６Ｒによる乗算結果の信号とを加算して、チャンネル処理信号ＰＣＤRを生成する。生成されたチャンネル処理信号ＰＣＤRは、アナログ処理部１１４へ送られる（図３参照）。
【００７２】
上記の信号振分部２１０Ａの動作と並行して、遅延付与部２２０が、分離チャンネル信号ＳＣＤSL〜ＳＣＤSWと、上述したチャンネル処理信号ＰＣＤC〜ＰＣＤRとのタイミング差を埋め合わせる分だけ、分離チャンネル信号ＳＣＤSL〜ＳＣＤSWのそれぞれを遅延させる。遅延付与部２２０による遅延結果は、チャンネル処理信号ＰＣＤSL〜ＰＣＤSWとして、アナログ処理部１１４へ送られる（図２参照）。
【００７３】
この後、チャンネル処理信号ＰＣＤC〜ＰＣＤSWは、ＤＡ変換部２４１においてアナログ信号に変換される。引き続き、音量調整部２４２が、制御処理部１１１からの音量調整指令ＶＬＣに従って、ＤＡ変換部２４１からのアナログ信号に対して音量調整処理を施し、音量調整信号として、パワー増幅部２４３へ送る（図５参照）。
【００７４】
音量調整信号を受けたパワー増幅部２４３は、音量調整信号をパワー増幅して、音声出力信号ＡＯＳC〜ＡＯＳSWを生成し、スピーカ１３０C〜１３０SWへ送る。そして、スピーカ１３０C〜１３０SWが、音声出力信号ＡＯＳC〜ＡＯＳSWに従って、音声を再生出力する。
【００７５】
この結果、音源ユニット１２０から読み取られたコンテンツデータＣＴＤに含まれるＣチャンネル信号が、Ｌチャンネル信号及びＲチャンネル信号との相関量に応じて、Ｃ，Ｌ，Ｒチャンネルに振り分けられる。そして、振分結果に基づいて、Ｃスピーカ１３０C，Ｌスピーカ１３０L，Ｒスピーカ１３０Rからの再生音声の出力が行われる。また、ＳＬチャンネル信号に基づくＳＬスピーカ１３０SLからの再生音声の出力、ＳＲチャンネル信号に基づくＳＲスピーカ１３０SRからの再生音声の出力、及び、ＳＷチャンネル信号に基づくＳＷスピーカ１３０SWからの再生音声の出力が行われる。
【００７６】
以上説明したように、本第１実施形態では、相関評価部２１１Ｌが、Ｃチャンネル信号とＬチャンネル信号との相関係数を算出する。また、相関評価部２１１Ｒが、Ｃチャンネル信号とＲチャンネル信号との相関係数を算出する。引き続き、振分係数決定部２１２Ａが、相関評価部２１１Ｌ，２１１Ｒにより算出された相関係数に基づいて、分離チャンネル信号ＳＣＤCのＣチャンネルへの第１振分係数、及び、Ｌチャンネル及びＲチャンネルへの第２振分係数を決定する。
【００７７】
ここで、第１振分係数の決定に際して、振分係数決定部２１２Ａは、分離チャンネル信号ＳＣＤCと分離チャンネル信号ＳＣＤL,ＳＣＤRとの相関が正である場合には、相関が高いと評価されるほど小さくなるように、正値の第１振分係数を決定する。一方、振分係数決定部２１２Ａは、分離チャンネル信号ＳＣＤCと分離チャンネル信号ＳＣＤL,ＳＣＤRとの相関が負である場合においても、相関が高いと評価されるほど小さくなるように、正値の第１振分係数を決定する。
【００７８】
また、第２振分係数の決定に際して、振分係数決定部２１２Ａは、分離チャンネル信号ＳＣＤCと分離チャンネル信号ＳＣＤL,ＳＣＤRとの相関が正である場合には、相関が高いと評価されるほど大きくなるように、正値の第２振分係数を決定する。一方、振分係数決定部２１２Ａは、分離チャンネル信号ＳＣＤCと分離チャンネル信号ＳＣＤL,ＳＣＤRとの相関が負である場合には、相関が高いと評価されるほど小さくなるように、負値の第２振分係数を決定する。
【００７９】
そして、振分処理部２１５Ａが、振分係数決定部２１２Ａにより決定された第１及び第２振分係数に従って、分離チャンネル信号ＳＣＤCをＣチャンネル、Ｌチャンネル及びＲチャンネルへ振り分けて、チャンネル処理信号ＰＣＤC〜ＰＣＤRを生成する。こうして生成されたチャンネル処理信号ＰＣＤC〜ＰＣＤRに対応する音声が、スピーカ１３０C〜１３０Rから再生出力される。
【００８０】
また、本第１実施形態では、遅延付与部２１３Ａ，２２０が、チャンネル処理信号ＰＣＤC〜ＰＣＤSWの同期関係と、チャンネル分離信号ＳＣＤC〜ＳＣＤSWの同期関係とが略同一となるように同期調整を行う。
【００８１】
また、本第１実施形態では、分離チャンネル信号ＳＣＤCと分離チャンネル信号ＳＣＤL,ＳＣＤRとの相関が負である場合には、第２振分係数を負値とするので、分離チャンネル信号ＳＣＤL,ＳＣＤRと、分離チャンネル信号ＳＣＤCの振り分け結果との加算において、分離チャンネル信号ＳＣＤCの成分が相殺されることない。
【００８２】
したがって、本第１実施形態によれば、音声コンテンツの製作者の意図を尊重しつつ、Ｃチャンネル信号を適切にＬスピーカ１３０L及びＲスピーカ１３０Rに振り分けることができる。
【００８３】
［第２実施形態］
次に、本発明の第２実施形態を、主に図６を参照して説明する。なお、本第２実施形態においても、上述した第１実施形態の場合と同様に、５．１チャンネルサラウンド方式を採用する場合を例示して説明する。
【００８４】
＜構成＞
本第２実施形態では、上述した第１実施形態と比べて、信号振分部２１０Ａに代えて、図６に示される構成の信号振分部２１０Ｂを備える点が異なっている。この信号振分部２１０Ｂは、上述した信号振分部２１０Ａと比べて、振分係数決定部２１２Ａに代えて振分係数決定部２１２Ｂを備え、遅延付与部２１３Ａに代えて遅延付与部２１３Ｂを備え、振分処理部２１５Ａに代えて振分処理部２１５Ｂを備えている。また、信号振分部２１０Ｂは、上述した信号振分部２１０Ａと比べて、高域通過フィルタ手段としてのハイパスフィルタ（ＨＰＦ）２１８と、第１フィルタ手段としてのローパスフィルタ（ＬＰＦ）２１９Ｃと、第２フィルタ手段としてのローパスフィルタ（ＬＰＦ）２１９Ｌ，２１９Ｒとを更に備えている。以下、これらの相違点に主に着目して説明する。
【００８５】
なお、本第２実施形態では、相関評価部２１１Ｌ，２１１Ｒ及びＬＰＦ２１９Ｃ〜２１９Ｒから、検出手段が構成されるようになっている。
【００８６】
上記のＨＰＦ２１８は、分離チャンネル信号ＳＣＤCを受ける。そして、ＨＰＦ２１８は、分離チャンネル信号ＳＣＤCにおける高音域成分を選択的に通過させる。ＨＰＦ２１８を通過した信号は、遅延付与部２１３Ｂへ送られる。
【００８７】
上記のＬＰＦ２１９Ｃは、分離チャンネル信号ＳＣＤCを受ける。そして、ＬＰＦ２１９Ｃは、分離チャンネル信号ＳＣＤCにおける低音域成分を選択的に通過させる。ＬＰＦ２１９Ｃを通過した信号は、遅延付与部２１３Ｂ、相関評価部２１１Ｌ及び相関評価部２１１Ｒへ送られる。
【００８８】
なお、ＬＰＦ２１９Ｃが通過させる低音域信号の周波数帯である第１周波数帯は、実験、シミュレーション、経験等に基づいて、予め定められる。また、ＨＰＦ２１８が通過させる高音域信号の周波数帯である第２周波数帯は、当該第１周波数帯以外の周波数帯とされる。
【００８９】
上記のＬＰＦ２１９Ｌは、上述したＬＰＦ２１９Ｃと同様の周波数特性を有している。このＬＰＦ２１９Ｌは、分離チャンネル信号ＳＣＤLを受ける。そして、ＬＰＦ２１９Ｌは、分離チャンネル信号ＳＣＤLにおける低音域成分を選択的に通過させる。ＬＰＦ２１９Ｌを通過した信号は、相関評価部２１１Ｌへ送られる。
【００９０】
上記のＬＰＦ２１９Ｒは、上述したＬＰＦ２１９Ｃ，２１９Ｌと同様の周波数特性を有している。このＬＰＦ２１９Ｒは、分離チャンネル信号ＳＣＤRを受ける。そして、ＬＰＦ２１９Ｒは、分離チャンネル信号ＳＣＤRにおける低音域成分を選択的に通過させる。ＬＰＦ２１９Ｒを通過した信号は、相関評価部２１１Ｒへ送られる。
【００９１】
以上のような構成を採用する結果、本第２実施形態における相関評価部２１１Ｌは、ＬＰＦ２１９Ｃを通過した信号と、ＬＰＦ２１９Ｌを通過した信号との相関係数を算出する。すなわち、相関評価部２１１Ｌは、分離チャンネル信号ＳＣＤCにおける低音域成分と、分離チャンネル信号ＳＣＤLにおける低音域成分との相関係数を算出することになる。
【００９２】
また、本第２実施形態における相関評価部２１１Ｒは、ＬＰＦ２１９Ｃを通過した信号と、ＬＰＦ２１９Ｒを通過した信号との相関係数を算出する。すなわち、相関評価部２１１Ｒは、分離チャンネル信号ＳＣＤCにおける低音域成分と、分離チャンネル信号ＳＣＤRにおける低音域成分との相関係数を算出することになる。
【００９３】
上記の振分係数決定部２１２Ｂは、上述した振分係数決定部２１２Ａと同様に、相関評価部２１１Ｌ，２１１Ｒからの相関係数に基づいて振分係数を決定するが、分離チャンネル信号ＳＣＤCにおける所定の低音域に対応する第１周波数帯の成分に関するＣチャンネル、Ｌチャンネル及びＲチャンネルへの振分係数を決定する点が異なっている。すなわち、振分係数決定部２１２Ｂは、上述した振分係数決定部２１２Ａと比べて、振分係数決定のアルゴリズムが異なっている。この振分係数決定部２１２Ｂで採用されるアルゴリズムは、実験、シミュレーション、経験等に基づいて、予め定められる。
【００９４】
なお、振分係数決定部２１２Ｂも、振分係数決定部２１２Ａと同様に、相関評価部２１１Ｌ及び相関評価部２１１Ｒからの２つの相関係数の平均値に基づいて、Ｃチャンネルに対する第１振分係数と、Ｌチャンネル及びＲチャンネルへの振分係数として共通の第２振分係数を決定する。かかる第１振分係数の決定に際して、振分係数決定部２１２Ｂは、分離チャンネル信号ＳＣＤCの低音域成分と分離チャンネル信号ＳＣＤL,ＳＣＤRの低音域成分との相関が正である場合には、相関が高いと評価されるほど、すなわち、相関係数の平均値が「０」〜「１」の範囲で大きくなるほど小さくなるように、第１振分係数を決定する。一方、振分係数決定部２１２Ｂは、分離チャンネル信号ＳＣＤCの低音域成分と分離チャンネル信号ＳＣＤL,ＳＣＤRの低音域成分との相関が負である場合には、相関が高いと評価されるほど、すなわち、相関係数の平均値（ＡＣＲ）が「−１」〜「０」の範囲で小さくなるほど小さくなるように、第１振分係数を決定する。
【００９５】
また、第２振分係数の決定に際して、振分係数決定部２１２Ｂは、分離チャンネル信号ＳＣＤCの低音域成分と分離チャンネル信号ＳＣＤL,ＳＣＤRの低音域成分との相関が正である場合には、相関が高いと評価されるほど、すなわち、相関係数の平均値が「０」〜「１」の範囲で大きくなるほど大きくなるように、第２振分係数を決定する。一方、振分係数決定部２１２Ｂは、分離チャンネル信号ＳＣＤCの低音域成分と分離チャンネル信号ＳＣＤL,ＳＣＤRの低音域成分との相関が負である場合には、相関が高いと評価されるほど、すなわち、相関係数の平均値が「−１」〜「０」の範囲で小さくなるほど小さくなるように、第２振分係数を決定する。
【００９６】
上記の遅延付与部２１３Ｂは、ＨＰＦ２１８を通過した信号、ＬＰＦ２１９Ｃを通過した信号及び分離チャンネル信号ＳＣＤL，ＳＣＤRを受ける。この遅延付与部２１３Ｂは、これらの４個の信号それぞれに対応する４個の個別遅延付与部を備えている。そして、遅延付与部２１３Ｂは、分離チャンネル信号ＳＣＤC〜ＳＣＤRと、決定された第１及び第２振分係数とのタイミング差を埋め合わせる分だけ、ＨＰＦ２１８を通過した信号、ＬＰＦ２１９Ｃを通過した信号及び分離チャンネル信号ＳＣＤL，ＳＣＤRのそれぞれを遅延させる。すなわち、遅延付与部２１３Ｂは、相関評価部２１１Ｌ，２１１Ｒ及び振分係数決定部２１２Ｂにおける処理時間の分だけ、受信した４個の信号のそれぞれを遅延させる。こうして遅延が付与された信号は、振分処理部２１５Ｂへ送られる。
【００９７】
上記の振分処理部２１５Ｂは、上述した振分処理部２１５Ａと比べて、第１加算手段としての加算部２１７Ｃを更に備えている。そして、乗算部２１６Ｃ，２１６Ｌ，２１６Ｒには、遅延付与部２１３Ｂにより遅延が付与された分離チャンネル信号ＳＣＤCの低音域成分が供給されるようになっている。
【００９８】
上記の加算部２１７Ｃは、遅延付与部２１３Ｂにより遅延が付与された分離チャンネル信号ＳＣＤCの高音域成分と、乗算部２１６Ｃからの乗算結果の信号とを受ける。そして、加算部２１７Ｃは、両信号を加算して、チャンネル処理信号ＰＣＤCを生成する。生成されたチャンネル処理信号ＰＣＤCは、アナログ処理部１１４へ送られる。
【００９９】
本第２実施形態においては、加算部２１７Ｌ，２１７Ｒから、第２加算手段が構成される。
【０１００】
なお、以下の説明においては、上述した構成の信号振分部２１０Ｂを備える信号加工部（第１実施形態における信号加工部１１３Ａに相当）を、「信号加工部１１３Ｂ」と記すものとする。
【０１０１】
＜動作＞
次に、上記のように構成された本第２実施形態の音響装置の動作について、信号振分処理に主に着目して説明する。
【０１０２】
利用者が、操作入力ユニット１５０に音声コンテンツを指定した再生指令を入力すると、第１実施形態の場合と同様にして、音源ユニット１２０からのコンテンツ読み取りが行われ、読み取られたコンテンツデータＣＴＤが、チャンネル分離部１１２へ送られる。コンテンツデータＣＴＤを受けたチャンネル分離部１１２は、コンテンツデータＣＴＤを展開し、５．１チャンネルサラウンド方式におけるＣ〜ＳＷチャンネルに対応する６個の分離チャンネル信号ＳＣＤC〜ＳＣＤSWに分離し、信号加工部１１３Ｂへ送る。
【０１０３】
信号加工部１１３Ｂでは、信号振分部２１０Ｂが分離チャンネル信号ＳＣＤC〜ＳＣＤRを受ける。信号振分部２１０Ｂでは、ＨＰＦ２１８及びＬＰＦ２１９Ｃが分離チャンネル信号ＳＣＤCを受ける。また、遅延付与部２１３Ｂ及びＬＰＦ２１９Ｌが分離チャンネル信号ＳＣＤLを受ける。また、遅延付与部２１３Ｂ及びＬＰＦ２１９Ｒが分離チャンネル信号ＳＣＤRを受ける。
【０１０４】
分離チャンネル信号ＳＣＤCを受けたＨＰＦ２１８は、分離チャンネル信号ＳＣＤCにおける高音域成分を選択的に通過させる。ＨＰＦ２１８を通過した信号は、遅延付与部２１３Ｂへ送られる。
【０１０５】
分離チャンネル信号ＳＣＤCを受けたＬＰＦ２１９Ｃは、分離チャンネル信号ＳＣＤCにおける低音域成分を選択的に通過させる。ＬＰＦ２１９Ｃを通過した信号は、遅延付与部２１３Ｂ、相関評価部２１１Ｌ及び相関評価部２１１Ｒへ送られる。
【０１０６】
分離チャンネル信号ＳＣＤLを受けたＬＰＦ２１９Ｌは、分離チャンネル信号ＳＣＤLにおける低音域成分を選択的に通過させる。ＬＰＦ２１９Ｌを通過した信号は、相関評価部２１１Ｌへ送られる。
【０１０７】
分離チャンネル信号ＳＣＤRを受けたＬＰＦ２１９Ｒは、分離チャンネル信号ＳＣＤRにおける低音域成分を選択的に通過させる。ＬＰＦ２１９Ｒを通過した信号は、相関評価部２１１Ｒへ送られる。
【０１０８】
ＬＰＦ２１９Ｃを通過した信号及びＬＰＦ２１９Ｌを通過した信号を受けた相関評価部２１１Ｌは、両信号の相関係数を算出する。すなわち、相関評価部２１１Ｌは、分離チャンネル信号ＳＣＤCにおける低音域成分と、分離チャンネル信号ＳＣＤLにおける低音域成分との相関係数を算出する。この算出結果は、振分係数決定部２１２Ｂへ送られる。
【０１０９】
また、ＬＰＦ２１９Ｃを通過した信号及びＬＰＦ２１９Ｒを通過した信号を受けた相関評価部２１１Ｒは、両信号の相関係数を算出する。すなわち、相関評価部２１１Ｒは、分離チャンネル信号ＳＣＤCにおける低音域成分と、分離チャンネル信号ＳＣＤRにおける低音域成分との相関係数を算出する。この算出結果は、振分係数決定部２１２Ｂへ送られる。
【０１１０】
相関評価部２１１Ｌ，２１１Ｒによる算出結果を受けた振分係数決定部２１２Ｂは、分離チャンネル信号ＳＣＤCの低音域成分のＣチャンネル、Ｌチャンネル及びＲチャンネルへの振分係数を決定する。この振分係数に決定に際しては、本第２実施形態においては、相関評価部２１１Ｌ及び相関評価部２１１Ｒからの２つの相関係数の平均値に基づいて、Ｃチャンネルに対する第１振分係数と、Ｌチャンネル及びＲチャンネルへの振分係数として共通の第２振分係数とが、所定のアルゴリズムにより決定される。こうして決定された第１及び第２振分係数は、振分処理部２１５Ｂへ送られる。
【０１１１】
一方、ＨＰＦ２１８を通過した信号、ＬＰＦ２１９Ｃを通過した信号及び分離チャンネル信号ＳＣＤL，ＳＣＤRを受けた遅延付与部２１３Ｂは、分離チャンネル信号ＳＣＤC〜ＳＣＤRと、決定された第１及び第２振分係数とのタイミング差を埋め合わせる分だけ、受信した信号のそれぞれを遅延させる。こうして遅延が付与された信号は、振分処理部２１５Ｂへ送られる。
【０１１２】
振分処理部２１５Ｂでは、乗算部２１６Ｃ，２１６Ｌ，２１６Ｒが、遅延付与部２１３Ｂにより遅延が付与された分離チャンネル信号ＳＣＤCの低音域成分を受ける。また、加算部２１７Ｃが、遅延付与部２１３Ｂにより遅延が付与された分離チャンネル信号ＳＣＤCの高音域成分を受ける。また、加算部２１７Ｌが、遅延付与部２１３Ｂにより遅延が付与された分離チャンネル信号ＳＣＤLを受ける。また、加算部２１７Ｒが、遅延付与部２１３Ｂにより遅延が付与された分離チャンネル信号ＳＣＤRを受ける。
【０１１３】
乗算部２１６Ｃは、振分係数決定部２１２Ｂにより決定された第１振分係数を、遅延が付与された分離チャンネル信号ＳＣＤCの低音域成分に乗算する。この乗算結果の信号は、加算部２１７Ｃへ送られる。加算部２１７Ｃは、遅延付与部２１３Ｂにより遅延が付与された分離チャンネル信号ＳＣＤCの高音域成分と、乗算部２１６Ｃによる乗算結果の信号とを加算して、チャンネル処理信号ＰＣＤCを生成する。生成されたチャンネル処理信号ＰＣＤCは、アナログ処理部１１４へ送られる。
【０１１４】
乗算部２１６Ｌは、振分係数決定部２１２Ｂにより決定された第２振分係数を、遅延が付与された分離チャンネル信号ＳＣＤCの低音域成分に乗算する。この乗算結果の信号は、加算部２１７Ｌへ送られる。加算部２１７Ｌは、遅延付与部２１３Ｂにより遅延が付与された分離チャンネル信号ＳＣＤLと、乗算部２１６Ｌによる乗算結果の信号とを加算して、チャンネル処理信号ＰＣＤLを生成する。生成されたチャンネル処理信号ＰＣＤＬは、アナログ処理部１１４へ送られる。
【０１１５】
乗算部２１６Ｒは、振分係数決定部２１２Ｂにより決定された第２振分係数を、遅延が付与された分離チャンネル信号ＳＣＤCの低音域成分に乗算する。この乗算結果の信号は、加算部２１７Ｒへ送られる。加算部２１７Ｒは、遅延付与部２１３Ｂにより遅延が付与された分離チャンネル信号ＳＣＤRと、乗算部２１６Ｒによる乗算結果の信号とを加算して、チャンネル処理信号ＰＣＤRを生成する。生成されたチャンネル処理信号ＰＣＤRは、アナログ処理部１１４へ送られる。
【０１１６】
上記の信号振分部２１０Ｂの動作と並行して、上述した第１実施形態の場合と同様に、遅延付与部２２０が、分離チャンネル信号ＳＣＤSL〜ＳＣＤSWと、上述したチャンネル処理信号ＰＣＤC〜ＰＣＤRとのタイミング差を埋め合わせる分だけ、分離チャンネル信号ＳＣＤSL〜ＳＣＤSWのそれぞれを遅延させる。遅延付与部２２０による遅延結果は、チャンネル処理信号ＰＣＤSL〜ＰＣＤSWとして、アナログ処理部１１４へ送られる。
【０１１７】
この後、チャンネル処理信号ＰＣＤC〜ＰＣＤSWが、上述した第１実施形態の場合と同様にして、ＤＡ変換部２４１、音量調整部２４２及びパワー増幅部２４３を介することにより、音声出力信号ＡＯＳC〜ＡＯＳSWが生成され、スピーカ１３０C〜１３０SWへ送られる。そして、スピーカ１３０C〜１３０SWが、音声出力信号ＡＯＳC〜ＡＯＳSWに従って、音声を再生出力する。
【０１１８】
この結果、音源ユニット１２０から読み取られたコンテンツデータＣＴＤに含まれるＣチャンネル信号の低音域成分が、Ｌチャンネル信号の低音域成分及びＲチャンネル信号の低音域成分との相関量に応じて、Ｃ，Ｌ，Ｒチャンネルに振り分けられる。そして、振分結果に基づいて、Ｃスピーカ１３０C，Ｌスピーカ１３０L，Ｒスピーカ１３０Rからの再生音声の出力が行われる。また、ＳＬチャンネル信号に基づくＳＬスピーカ１３０SLからの再生音声の出力、ＳＲチャンネル信号に基づくＳＲスピーカ１３０SRからの再生音声の出力、及び、ＳＷチャンネル信号に基づくＳＷスピーカ１３０SWからの再生音声の出力が行われる。
【０１１９】
以上説明したように、本第２実施形態では、相関評価部２１１Ｌが、Ｃチャンネル信号の低音域成分とＬチャンネル信号の低音域成分との相関係数を算出する。また、相関評価部２１１Ｒが、Ｃチャンネル信号の低音域成分とＲチャンネル信号の低音域成分との相関係数を算出する。引き続き、振分係数決定部２１２Ｂが、相関評価部２１１Ｌ，２１１Ｒにより算出された相関係数に基づいて、分離チャンネル信号ＳＣＤCの低音域成分のＣチャンネルへの第１振分係数、及び、Ｌチャンネル及びＲチャンネルへの第２振分係数を決定する。
【０１２０】
ここで、第１振分係数の決定に際して、振分係数決定部２１２Ｂは、分離チャンネル信号ＳＣＤCの低音域成分と分離チャンネル信号ＳＣＤL,ＳＣＤRとの相関が正である場合には、相関が高いと評価されるほど小さくなるように、第１振分係数を決定する。一方、振分係数決定部２１２Ｂは、分離チャンネル信号ＳＣＤCの低音域成分と分離チャンネル信号ＳＣＤL,ＳＣＤRの低音域成分との相関が負である場合においても、相関が高いと評価されるほど小さくなるように、正値の第１振分係数を決定する。
【０１２１】
また、第２振分係数の決定に際して、振分係数決定部２１２Ｂは、分離チャンネル信号ＳＣＤCの低音域成分と分離チャンネル信号ＳＣＤL,ＳＣＤRの低音域成分との相関が正である場合には、相関が高いと評価されるほど大きくなるように、正値の第２振分係数を決定する。一方、振分係数決定部２１２Ｂは、分離チャンネル信号ＳＣＤCの低音域成分と分離チャンネル信号ＳＣＤL,ＳＣＤRの低音域成分との相関が負である場合には、相関が高いと評価されるほど小さくなるように、負値の第２振分係数を決定する。
【０１２２】
そして、振分処理部２１５Ｂが、振分係数決定部２１２Ｂにより決定された第１及び第２振分係数に従って、分離チャンネル信号ＳＣＤCの低音域成分をＣチャンネル、Ｌチャンネル及びＲチャンネルへ振り分けて、チャンネル処理信号ＰＣＤC〜ＰＣＤRを生成する。こうして生成されたチャンネル処理信号ＰＣＤC〜ＰＣＤRに対応する音声が、スピーカ１３０C〜１３０Rから再生出力される。
【０１２３】
また、本第２実施形態では、上述した第１実施形態の場合と同様に、遅延付与部２１３Ｂ，２２０が、チャンネル処理信号ＰＣＤC〜ＰＣＤSWの同期関係と、チャンネル分離信号ＳＣＤC〜ＳＣＤSWの同期関係とが略同一となるように同期調整を行う。
【０１２４】
また、本第２実施形態では、分離チャンネル信号ＳＣＤCの低音域成分と分離チャンネル信号ＳＣＤL,ＳＣＤRの低音域成分との相関が負である場合には、第２振分係数を負値とするので、分離チャンネル信号ＳＣＤL,ＳＣＤRの低音域成分と、分離チャンネル信号ＳＣＤCの低音域成分の振り分け結果との加算において、分離チャンネル信号ＳＣＤCの低音域成分が相殺されることない。
【０１２５】
したがって、本第２実施形態によれば、音声コンテンツの製作者の意図を尊重しつつ、Ｃチャンネル信号の低音域成分を適切にＬスピーカ１３０L及びＲスピーカ１３０Rに振り分けることができる。
【０１２６】
［実施形態の変形］
本発明は、上記の実施形態に限定されるものではなく、様々な変形が可能である。
【０１２７】
例えば、上記の第１及び第２実施形態では、５．１チャンネルサラウンド方式で音声を出力する音響装置に本発明を適用した。これに対して、スピーカの数を、例えば、３チャンネル以上のチャンネル数のマルチチャンネルサラウンド方式を採用する音響装置であれば、本発明を適用することができる。
【０１２８】
また、上記の第１及び第２実施形態では、Ｃチャンネル信号の所定周波数帯の成分を、Ｃ〜Ｒチャンネルに振り分けるようにしたが、他のチャンネルにも振り分けるようにすることができる。
【０１２９】
また、上記の第１及び第２実施形態では、Ｃスピーカの配置位置を中心として、Ｌスピーカ及びＲスピーカが対称的に配置されているものとし、Ｃチャンネル信号の所定周波数帯の成分のＬチャンネルへの振分係数と、Ｒチャンネルへの振分係数とを同一値としたが、Ｃ〜Ｌスピーカの配置位置の関係に対応して、Ｌチャンネルへの振分係数と、Ｒチャンネルへの振分係数とを互いに異なる値とするようにしてもよい。
【０１３０】
また、上記の第１及び第２実施形態においては、相関係数の平均値と振分係数との関係として図４に示される関係を例示したが、図７に示されるような関係とすることもできる。すなわち、図７（Ａ）に例示されるように、相関係数の平均値（ＡＣＲ）が「−１」〜「０」の範囲では、Ｃスピーカへの振分係数（ＤＣ）を一定値（ＤＣMAX）とするとともに、相関係数の平均値（ＡＣＲ）が「０」〜「１」の範囲では、相関係数の平均値（ＡＣＲ）の増加に伴って、Ｃスピーカへの振分係数（ＤＣ）を、正値の範囲で単調非増大とすることができる。また、図７（Ｂ）に例示されるように、相関係数の平均値（ＡＣＲ）が「−１」〜「０」の範囲では、Ｌ，Ｒスピーカへの振分係数（ＤＬＲ）を一定値（ＤＬＲMIN）とするとともに、相関係数の平均値（ＡＣＲ）が「０」〜「１」の範囲では、相関係数の平均値（ＡＣＲ）の増加に伴って、Ｌ，Ｒスピーカへの振分係数（ＤＬＲ）を単調非減少とすることができる。
【０１３１】
さらに、相関係数の平均値と振分係数との関係を、図８に示される関係とすることもできる。すなわち、図８（Ａ）に例示されるように、相関係数の平均値（ＡＣＲ）が「−１」〜「１」の全範囲において、相関係数の平均値（ＡＣＲ）の増加に伴って、Ｃスピーカへの振分係数（ＤＣ）を、正値の範囲で単調非増大とすることができる。また、図８（Ｂ）に例示されるように、相関係数の平均値（ＡＣＲ）が「−１」〜「１」の全範囲において、相関係数の平均値（ＡＣＲ）の増加に伴って、Ｌ，Ｒスピーカへの振分係数（ＤＬＲ）を単調非減少とすることができる。
【０１３２】
また、上記の第２実施形態では、Ｃチャンネル信号の低音域成分と、Ｌ，Ｒチャンネル信号の低音域成分との相関係数に基づいて、Ｃチャンネル信号の低音域成分の振分係数を決定するようにした。これに対し、Ｃチャンネル信号の低音域成分と、Ｌ，Ｒチャンネル信号の低音域成分との相関係数に基づいて、Ｃチャンネル信号自体の振分係数を決定するようにしてもよい。さらに、Ｃスピーカの再生能力の周波数特性に対応して、任意の周波数帯におけるＣチャンネル信号の成分と、Ｌ，Ｒチャンネル信号の成分との相関係数に基づいて、Ｃチャンネル信号の所定周波数帯の成分の振り分けを行うようにすることもできる。
【０１３３】
また、上記の第１及び第２実施形態においては、Ｃチャンネル信号の所定周波数帯成分と、Ｌ，Ｒチャンネル信号の所定周波数成分との相関の評価に相関係数を採用するようにしたが、相関の評価の手法として他の手法を採用してもよい。
【０１３４】
また、上記の第１及び第２実施形態においては、Ｃチャンネル信号の信号レベルにかかわらず、Ｃチャンネル信号の所定周波数帯成分と、Ｌ，Ｒチャンネル信号の所定周波数帯成分との相関の評価結果に基づいて、Ｃチャンネル信号の所定周波数帯成分の振分係数を決定したが、Ｃチャンネル信号の信号レベルを更に考慮して、振分係数を決定してもよい。
【０１３５】
なお、上記の第１及び第２実施形態における信号処理ユニットを中央処理装置（ＣＰＵ：Central Processor Unit）やＤＳＰ（Digital Signal Processor）を備えるコンピュータシステムとして構成し、制御処理部、チャンネル分離部、補助音声信号生成部の機能を、プログラムの実行によっても実現するようにすることができる。これらのプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【図面の簡単な説明】
【０１３６】
【図１】本発明の第１実施形態に係る音響装置の構成を概略的に示すブロック図である。
【図２】図１の信号加工部の構成を示すブロック図である。
【図３】図２の信号振分部の構成を示すブロック図である。
【図４】相関係数の平均値と振分係数との関係の例を示す図である。
【図５】図１のアナログ処理部の構成を示すブロック図である。
【図６】本発明の第２実施形態における信号振分部の構成を示すブロック図である。
【図７】相関係数の平均値と振分係数との関係の変形例を示す図（その１）である。
【図８】相関係数の平均値と振分係数との関係の変形例を示す図（その２）である。
【符号の説明】
【０１３７】
１００Ａ            …  音響装置
１３０C〜１３０SW   …  スピーカ
２１１Ｌ，２１１Ｒ  …  相関評価部（検出手段）
２１２Ａ，２１２Ｂ  …  振分係数決定部（決定手段）
２１３Ａ，２１３Ｂ  …  遅延付与部（同期調整手段の一部）
２１５Ａ，２１５Ｂ  …  振分処理部（生成手段）
２１６Ｃ            …  乗算部（第１乗算手段）
２１６Ｌ，２１６Ｒ  …  乗算部（第２乗算手段）
２１７Ｃ            …  加算部（第１加算手段）
２１７Ｌ，２１７Ｒ  …  加算部（加算手段及び第２加算手段）
２１８              …  ハイパスフィルタ（高域通過フィルタ手段）
２１９Ｃ            …  ローパスフィルタ（第１フィルタ手段）
２１９Ｌ，２１９Ｒ  …  ローパスフィルタ（第２フィルタ手段）
２２０              …  遅延付与部（同期調整手段の一部）
【図１】
2010087783.tif 000003
【図２】
2010087783.tif 000004
【図３】
2010087783.tif 000005
【図４】
2010087783.tif 000006
【図５】
2010087783.tif 000007
【図６】
2010087783.tif 000008
【図７】
2010087783.tif 000009
【図８】
2010087783.tif 000010